(57)【要約】【課題】  発電をするとき、化石燃料を燃やすと温室効果ガスが発生し、それがもとで気象変動が起こり、さまざまな弊害をもたらす。温室効果ガスを出さない発電がないか課題である。【解決手段】  発電するとき、燃料を必要としない発電、構造様式。【選択図】なし【特許請求の範囲】
【請求項１】
シリンダ−機構におけるもの。符号１の、金属など固体で筒状の形をしているもの。符号２の、化学繊維柔軟布。符号３の、注水調節弁。符号４の、注水口。符号２８の、空気抜き取り口。符号２９の、空気抜き取りパイプ。
符号５の、浮き上がり球体が、シリンダ−機構から、水槽内において、浮力より上昇し、符号１２の力車を経て、符号１４の第一滑車へ、水槽外において、符号１４の第一滑車から、引力により落下するように、符号１５の第二滑車に移動、シリンダ−機構への一巡。
符号５の浮き上がり球体を、水槽内においての、符号１７の誘導柵、水槽外においての、符号１８の誘導樋。
符号５の浮き上がり球体。符号２７のコロ、符号３７の化学繊維帯、一体加工。
【発明の詳細な説明】
【技術分野】
【０００１】  本発明は、発電に関するものである。
【背景技術】
【０００２】  発電に関する技術は実に多い。
［発明の開始］
【発明が解決しようとする課題】
【０００３】  電力を得るための発電には、そのエネルギ−となる、石炭、石油、天然ガス等の化石燃料を燃やして発電することが多い。化石燃料を燃やすと二酸化炭素の排出量が増え、これが地球の温暖化のもととなる。
今日、国を挙げて二酸化炭素の排出量をいかにして減らすかが課題となっている。世界全体においても各国それぞれに課せられた課題である。
二酸化炭素を出さないで電力を得る発電にもそれぞれ制約があり問題は多い。
原子力発電は施設をどこに置くか、原子力発電施設そのものの安全制、発電施設の近くに住む住民への安全性などで限られた設置場所となる。
太陽光発電は広い面積を必要とし設置場所が限られる。太陽の光を受けない時は発電しないなど制約をうける。
風力発電は広い場所が必要である。風が弱い時や風が吹かない時は発電せず電力は得られない。
水力発電は近年、すぐれた技術により小型でも効率のよい発電が可能となった。しかしながら水力発電は設置場所や水量、落差が必要であり設置場所が限られる。
化学反応による発電にしても反応させる素となるものが無くてはならず限られたものである。
このように、それぞれに課せられた制約があり、これらが課題である。
【課題を解決するための手段】
【０００４】  本発明は発電に必要とされる石油などの化石燃料を一切使わない。そのため、温室効果ガスを大気中に放出しない地球に優しい発電様式である。
発電施設の設置場所についても地上どこにでも設置できる。地下においても同様である。
設置場所が広いにこしたことはないが本発明が小型で小規模の場合はビルの屋上に、一戸建ての庭の一角に設置できる。このように設置場所についてもほとんど制約をうけない。原子力発電。太陽光発電。風力発電。水力発電。化学反応による発電などにおける制約がない。
本発明の構造様式については後記する。現在発電がおこなわれている発電に多くの制約が必然的にあるのにくらべ、本発明においてはほとんどないことが課題そのものを解決する手段である。
【発明の効果】
【０００５】  ２０５０年までに温室効果ガスを現在の約半分にしようとする高い目標を掲げている。日本は達成できるのであろうか。
本発明が多く可動はじめれば達成できる可能制が大いにある。二酸化炭素を大気中に放出しない発電は現在の美しい地球の未来を担うものでもあり発明の効果に期待する。
【０００６】  経済効果については現在数字に出せないが、それは言葉では言い切れない、はかり知れない程の大きな効果が期待できる。本発明の発電施設にかける設備投資だけでも数が多くなれば大きなものである。
本発明は化石燃料を一切使わないため余裕な資金がうまれ、これがもとで企業活動が盛んになり個人が潤い経済規模を益々大きくする。
【０００７】  格差社会の解消になる。
世界には様々な格差が存在する。大地の地下から石油が産出される国、このことで大きな富を築きもうけている。
一方、石油が産出されない国は石油を求めて右往左往し石油の価格高騰に悩まされる。
石油の変わりとなるエタノ−ルの生産にトゥモロコシなどの食糧が使われ、そのため世界の食糧価格が高くなり、アフリカなどでは食事すらできず飢えている人々が多いと聞く。
本発明は燃料を一切使わないため世界におけるこうした不幸な出来事をなくしていくのに貢献できるものであり、これらも発明の効果と言えるものである。
［発明の、浮き上がり球体順順回転発電プラント構造様式］
【０００８】  図を本に説明する。必要な場合、各図を指定しながらの説明となる。
図１、引用。
符号１は、金属など固体で筒状の形をしている。
符号１は、金属など固体で筒状の形をしているものの断面。
符号２は、符号１の、金属など固体で筒状の形をしているものの内面に、符号１の、金属など固体で筒状の形と同じく筒状の形に張りつけた化学繊維柔軟布の断面。
符号３は、符号１の、金属など固体で筒状の形をしているものの外側に設けた、注水調節弁断面。
符号４は、符号１、符号２、符号３を通して設けた穴で注水口。
図３、引用。
図３は。図１とは９０度方向を変えた方からの、主要部分。
符号２８は、符号２、符号１を通して設けた穴で、符号２９の空気抜き取りパイプであるパイプの一部を含めた断面による空気抜き取り口である。
図１、引用して。図３を引用しての断面で表し構成されている、図１、図３を合わせたものを、シリンダ−機構として、図１、図３を合わせたものを言うときのみ、これ以後、シリンダ−機構と言う。
この、シリンダ−機構が、本発明の発電の目的達成を担う基本となる発明である。
【０００９】  シリンダ−機構が本発明の、浮き上がり球体順順回転発電プラントのどの位置にあるのか、図１、図２の全体図を本に説明し、浮き上がり球体順順回転発電プラントの構成、機能について説明する。
符号７は水槽。水槽は、符号６の外覆い壁の一部の面に固定されている。水槽には、水を符号１０の水面まで満たす。
水槽の底の中央の位置を、シリンダ−機構の入る大きさを切取り、シリンダ−機構を切り取った所に入れ固定する。
くりかえす。水槽の底の中央の位置に、シリンダ−機構の入る大きさの穴を開け、その穴にシリンダ−機構を入れ固定する。
シリンダ−機構の内、符号１は、金属など固体で筒状の形をしている。金属など固体で筒状の形をしているものの内面に、筒状の形に張りつけた化学繊維柔軟布は同じく筒状である。その筒状の内側は、言い変えると、その筒状の中央は空洞である。その空洞を、数珠つなぎ状態となっている、符号５の浮き上がり球体を、緩やかな速度、遅い緩やか速度で通過させる。表現を変えると、シリンダ−機構の中央は空洞である。その空洞を、数珠つなぎ状態となっている、符号５の、浮き上がり球体を緩やかな速度、遅い緩やかな速度で通過させる。
通常、常識の範囲で考えられるのは、水を満たした水槽の底に空洞の形の穴があれば、水圧のため空洞の形の穴に向かって強い水流が生じるとしか考えられないものである。
水流は強い力をもち危険でもある。ところが、水流のないところでは、たとえば、人は水深３０ｍｅｔｒｅの深さであっても難なく行動ができる。強い水流があっては自由な行動はできない。一昨年、プ−ルで少女が排水口に吸い込まれ犠牲となった痛ましい事故があった。これは強い水流のためである。
本発明の、シリンダ−機構の中央の空洞の形の穴には水流は起きない。水流は全く起こさせないと言える構造様式である。
【００１０】  シリンダ−機構の中央の空洞の形の穴を、数珠つなぎ状態になっている浮き上がり球体の符号５を通過させ、上に向かって緩やかな速度で上昇させる。上に向かって緩やかな速度で上昇させる、としているが。符号５の浮き上がり球体は球体の中に空気を多く抱えているため水槽の中にあっては強い浮力となる。その上、符号５の浮き上がり球体は数が多く数珠つなぎとなっているため浮力を増して浮き上がりの強い力となり上昇する。
上昇する浮き上がり球体は、符号１６の羽の付いた、符号１２の力車まで上昇、上昇した浮き上がり球体は、符号１２の力車の、符号１６の羽に抱えられるようにして収まり、浮き上がりの強い力で符号１２の力車を回転させてさらに上昇する。
上昇した、浮き上がり球体は水槽の水面、符号１０に浮き上がる。浮き上がった、浮き上がり球体は力車の羽を力車の回転に合わせて離れる。
力車の羽を離れた浮き上がり球体は数珠つなぎのまま、第一滑車、符号１４に引かれるように移動、第一滑車、符号１４に収まる間もなく下へ向かって移動する。
符号５の、浮き上がり球体は下へ向かって移動するが、第一滑車から下への移動は引力によって落下するように移動する。第一滑車から、符号１５の、第二滑車までは、浮き上がり球体の数が多いため、第一滑車へ向けて引張りの力となり、この引張りの力が水面に浮き上がった、浮き上がり球体を、第一滑車方へ引張り上げる力となる。さらに、第一滑車から下への引力の力は、第二滑車へ向けて、浮き上がり球体を押し込む力となり、第二滑車を回し、浮き上がり球体を上方向へ押し上げる力となる。
第二滑車を通過した浮き上がり球体は数珠つなぎ状態のままシリンダ−機構の中央の空洞の形の穴へ移動する。斯くして、符号５の浮き上がり球体は一巡する。
【００１１】  ここから、再びシリンダ−機構について詳しく説明する。
シリンダ−機構の中央の空洞の形の穴においては常時符号５の浮き上がり球体が、一つ半、留まり、存在し、表現を変えると、通過中である。
一つの、浮き上がり球体がシリンダ−機構の中央の形の穴を離れようとする時は既に穴には浮き上がり球体が存在し通過中である。そのため、水槽内の水圧によって起こる水流は起きない。言うまでもなく、これだけでは完全とは言えない。
浮き上がり球体がシリンダ−機構の穴に入る時は、球体と球体の間に空気を抱えたままシリンダ−機構の穴に入る。そのため、浮き上がり球体がシリンダ−機構の穴を離れる時、空気を水槽内に放出してしまう。水槽内に空気を放出する時、空気と入れ変わるように水槽内の水がシリンダ−機構の穴に入るため水流が生じてしまう。
シリンダ−機構の穴に向かって水流が発生すると、浮き上がり球体は一瞬シリンダ−機構の中央の穴に吸い込まれる水流を受けてしまう。さらに、水槽内に放出されてしまった空気は大きな泡となって発電プラントの機器を揺らす。機器を揺らすだけでなく大きな音となって周囲への害となる。
こうしたことを防ぐため、ここおいてシリンダ−機構において、本発明の構造様式が優れた機能をもつものであるかを証明する。
前記。図１、引用において。符号４の、符号１、符号２、符号３を通して設けた穴で注水口とした。この注水口は常時シリンダ−機構の中央の空洞の穴に水槽内の水を注ぎ込む機能をもつ。二つの浮き上がり球体が空気を抱えたままシリンダ−機構の中央の空洞の穴に入ってきた時において、符号４の注水口から時よろしく水が注ぎ込まれる。同時に瞬時遅れて、前記、図３、引用において。符号２８の、符号２、符号１を通して設けた穴と、符号２９の空気抜き取りパイプにおいて、シリンダ−機構の中央の穴に、二つの浮き上がり球体が空気を抱えたまま入ってきた空気を時よろしく抜きとる。シリンダ−機構の中央の穴の空気が抜き取られると、浮き上がり球体がシリンダ−機構の中央の穴を離れる時も水流は発生しない。時よろしくは、符号２２の、空気抜き取りポンプ所の機能による。
ここにおいて大きな泡や、大きな音を防ぐことが可能となる。しかしながら、符号２の、筒状の形に張りつけた化学繊維柔軟布と浮き上がり球体の端にわずかに残る空気がある。わずかに残る空気は水槽内にごく小さな泡として浮いて散るが問題になるほどではない。
前記に、シリンダ−機構の、符号１は、金属など固体で筒状の形をしているとした。金属など固体で筒状の形をしているものの内面に、筒状の形に張りつけた化学繊維柔軟布は同じく筒状である。図１で見るかぎり、筒状に張りつけた、符号２の化学繊維柔軟布は浮き上がり球体の大きさと比較して、かなり厚く描かれているが、厚くなく薄い方が浮き上がり球体の通過の際の抵抗が少ない。浮き上がり球体が化学繊維柔軟布をわずかに少しだけ押し広げて通過できるほどが最もよい。化学繊維柔軟布は防水制に優れたものでなくてはならない。防水制に優れていると水槽内の水は浸透しない。そのため水槽内の水が下に漏れることを防ぐことが可能となる。水槽内の水が化学繊維柔軟布に僅かに浸透して少しばかり下に漏れることがあっても、下の、符号９の、水盤器に収集され水槽に戻される。化学繊維柔軟布は強く耐久性に優れたものでなくてはならない。繊維の進歩があり可能。本発明のプラントは規模が大きくなれば大きいほど効率がよい。言い変えると、シリンダ−機構の中央の穴を通過する浮き上がり球体が大きければ大きいほど効率がよい。シリンダ−機構の中央の穴の形が大きければ大きいほど効率が良い。その場合、シリンダ−機構になくてはならない空気抜き取り口や注水口の数を多くしなければならない。それぞれ、二ヵ所から、四、六、八ヵ所と多くする。空気抜き取り口、注水口も共に備える位置を上下、どの位置に備えるかを考慮する。
斯くして、シリンダ−機構が、本発明の中心となり、化石燃料を使わない発電の目的を達成するに至るものである。
【００１２】  図２を見る。シリンダ−機構から上に向かって浮き上がる、浮き上がり球体は間を置かず、符号１７の誘導柵内に入り、柵に導かれるようにして上に上昇する。上昇した、浮き上がり球体は、符号１２の力車の羽、符号１６に迎えられるように収まり、符号１７の誘導柵にも導かれるように力車を回しながら水面に浮かび、第一滑車へ向かい、第一滑車を超えて、第二滑車に、引力により、落下するように移動、符号１８の樋に導かれるように第二滑車に移動する。符号１７の誘導柵と、符号１８の樋は、浮き上がり球体を確実に目的へ移動させるためである。
符号１９は誘導柵、誘導樋を水槽内癖、水槽外壁に、調整機を経て確実に固定する端子である。規模の大きなプラントにあっては数を多くする。
符号２０は。Ａ〜Ａ断面を図４図に。符号２１は。Ｂ〜Ｂ断面を図５図に。
符号２３は。浮き上がり球体が水面に浮かぶように力車の羽を離れて、第一滑車に向かう時や、第一滑車から第２滑車に移動する時に、浮き上がり球体が水槽内で水に浸かっていたために浮き上がり球体についた水が少量、ぽたぽたと下に落ちた水を下の水盤器で受け、落ちた水の量を感知し時折ポンプで吸い上げ水槽に戻すための、水回収ポンプ機器所。
符号８は。本発明の、浮き上がり球体順順回転発電プラントの基盤であり基礎である。
基礎をどのような基礎にするかは、プラント施設の規模による。地中深く杭を打ち込んで基礎とするもあり、ビルなど建物の屋上に枠を固定し基盤、基礎とするものもある。
図６図、についての説明。
図６図のものは、符号１２の、力車を囲むようについている、符号１６の、羽である。
水槽内において下から上がってくる、符号２６の、浮き上がり球体を、かかえて抱き込むように受ける羽で、浮き上がり球体の浮き上がる浮力を受け力車の中心の、符号１３の、車軸に伝える働きを担う。浮き上がり球体の強力な力を受けるため強い材質のものでなくてはならない。また、受ける力を羽全体で受ける工夫が必要である。そのため、符号３３は、符号２７の、コロをささえるようにして働く、コロささえ。である。
引き出し枠内の図は。浮き上がり球体を抱え込む方向からの図であり。符号３５の、Ｙ字形の形の羽の部分であり。符号２７の、コロを受ける。Ｙ字形コロ受け、である。Ｙ字形コロ受け、も、浮き上がり球体を力強く受けて働く。
図７図、についての説明。
図７図のものは。符号５の、浮き上がり球体、であり、浮き上がり球体の主要部分（中心部）。球体と球体を数珠つなぎのように繋ぐ、符号２７のコロ、の部分と。符号３７の、化学繊維帯。それぞれの、主要部分を理解しやすいように描いた主要部分構成断面図。
符号３７の、化学繊維帯。は、炭素繊維などきわめて強い繊維の集合帯である。
符号２７のコロ、符号３７の化学繊維帯は、それぞれ材質は違っていても一体になるように加工しなければならない。これは、コロとコロの間の間隔を一定に保つためである。
第一滑車、第二滑車。についての説明。
通常の滑車は、コマの形をしたもののコマの周囲に溝を掘ったもので、そのみぞの部分にロ−プを通しコマの回転でロ−プを送るものである。本発明の滑車は、コマの周囲に掘ったものの溝に球の形のものを受ける窪みを設けるものである。数珠つなぎ状態の、浮き上がり球体をコマの周囲の溝と球の形のものを受ける窪みで、つぎつぎと受け、つぎつぎと送る滑車である。その場合、堅い、コマの周囲の溝と球の形のものを受ける窪みで、堅い、浮き上がり球体を受けると、カラカラと大きな音が出てしまう。その音の出ないような対策として、滑車の、コマの周囲に掘ったものの溝と、球の形のものを受ける窪みに、繊維織り布をひきつめる。こうすることで、堅いもの同士が接触しないようにしたもので音はほとんど出ない。
［地震対策］
【００１３】  地震が起きた時、本発明の発電プラント施設の周囲への影響。
発電プラント施設が倒れるなど倒壊してしまうようなことがないかぎり周辺への影響は。ない。日本は地震の発生の多い国土である。いつ、どこに、起きてもおかしくない列島と言われる。地震対策はしっかりしたものでなくてはならない。
地震が起きた時、本発明の発電プラントが地震から受ける影響。
地震の揺れの波は。本発明の発電プラントの水槽内の水に波を起こしてしまう。波消し板などを備えても波の影響は受ける。浮き上がり球体の、符号２６から、力車の羽、符号１６に、浮き上がり球体を渡すタイミングを狂わしてしまう。水槽外の、浮き上がり球体も揺れるが影響は少ない。
［コンピュ−タ−による制御］
【００１４】  コンピュ−タ−制御技術は大変進んでいる。前項で、発電プラントが地震から受ける影響についてふれた。力車の羽に浮き上がり球体を渡すタイミングを狂わしてしまう。こうした時に、コンピュ−タ−で地震波を素早く捕らえ、力車を止め、浮き上がり球体の浮き上がりの動きを止め、水槽内の波の乱れの静まるのを待つ。あるいは、力車、浮き上がり球体、両者の動きを極めて遅くするなどの制御が必要である。
（力車の動きを止める、ブレ−キ装置などは本発明の、浮き上がり順順回転発電プラント、の関連出願とする）
シリンダ−機構の機能において。
シリンダ−機構の中央の空洞の形の穴に、浮き上がり球体と浮き上がり球体の間に空気を抱えたまま下から上に上がり、シリンダ−機構の中央の空洞の形の穴を通過中に、空気と水槽内の水を入れ替えるため、水槽内の水を注ぎ込むタイミングをコンピュ−タ−制御し、同時に、空気抜き取りもコンピュ−タ−制御する。空気抜き取りは、空気抜き取りポンプ所、符号２２の、機器による。
微震動波について。
地震波は、本発明にとってよくないと前記した。微震動波は、本発明にとって有効である。水槽内の水に、あるいは、水槽内の、符号１７の、誘導柵に１秒間に２〜３の微震動波をあてると、誘導柵中に上下に、ひしめくように並ぶ浮き上がり球体の、符号５の浮き上がりの動きを助ける。
【００１５】  符号２６の、浮き上がり球体の浮き上がりの力を受けた力車の羽、符号１６は、図１に見ることのできる、およそ、５個の浮き上がり球体を抱えるように受けて浮き上がりの力を増して、ここにおいて、力車の回転力となり、符号１３の、車軸の回転力となる。
符号１３の、車軸は。水槽の、符号７の外へ、符号６の、外覆い壁の外へ出ていて大きな歯車を回し、大きな歯車は小さな歯車を回す、小さな歯車は発電機の軸を回す。
ここにおいて、はじめて。本発明の、浮き上がり球体順順回転発電プラントは、電力と言う力を生む発電プラントとなる。
本発明の発電プラントは、プラント建設において、各施設が整い、いよいよ可動始めれば、発電プラント自身で使う電力を生むのは当然として、発電された電力を都市や工場に供給できる発電プラントである。比較的小さなプラントであっても一戸建てやマンションの消費電力をまかなう電力を生むことができる。
［自然環境への影響・・・］
【００１６】  地球温暖化が進む原因として化石燃料を燃やすことにあると言う。温暖化が進むと大気や海水が膨脹してしまう。大気の膨脹は気象変動を起こし、干ばつをまねき、大雨を降らす。海水が膨脹して低い陸地は水没してしまう。こうした被害は各地でおこっている。
地球は悲鳴を上げている。今こそ地球規模で起こっている気象変動をくいとめなくてはならない。地球は人類だけのものではない。あらゆる生命体のかけがえのない地球である。
緑の多い国土を，海水のきれいな海を後世の人のために残さなければならない。
本発明の、浮き上がり順順回転発電プラントは、燃料を一切使わない発電機構様式を備えた発電プラントである。
本発明の、浮き上がり順順回転発電プラントは人類がながいあいだ求めていた燃料を必要としない発電を可能としたものである。
エネルギ−産出国が富を抱え潤い。エネルギ−消費国が疲弊していく矛盾を変えなくてはならない。地球上で起きている格差をなくさなければならない。
これを日本人の頭脳と日本の高い技術、人々の協力をもとに国を挙げて取りくみ実現を急がなくてはならない。今、国と国の間の競争が厳しくなっている。こうしたことからも国を挙げて競争力をつけ勝ち抜かなければならない。各国のエネルギ−消費国が、エネルギ−産出国に渡り合える力をつけなければならない。環境技術を高めることを願う。
本発明の、浮き上がり順順回転発電プラントは地球にもっともやさしいプラントである。
【図面の簡単な説明】
【００１７】
【図１】  全体図。
【図２】  図１の図に、符号１７の誘導柵、符号１８の誘導樋、を加えた全体図。
【図３】  シリンダ−機構、であり。図１の全体図におけるところの、シリンダ−機構より９０度、角度を変えた方からの図であり一部を除く断面図。
【図４】  符号１７の誘導柵のＡ〜Ａ断面図。
【図５】  符号１８の誘導樋のＢ〜Ｂ断面図。
【図６】  符号１６の羽の図であり説明図。
【図７】  符号５の、浮き上がり球体と。符号２７の、コロ。符号３７の、化学繊維帯。それぞれの主要部分構成断面図。
【符号の説明】
【００１８】１    金属など固体で筒状の形をしているものの断面。
２    筒状に張りつけた化学繊維柔軟布の断面。
３    注水調節弁断面。
４    注水口。
５    浮き上がり球体。
６    外覆い壁。
７    水槽。
８    基礎。
９    水盤器。
１０  水槽の水面。
１１  水盤器の水面。
１２  力車。
１３  車軸。
１４  第一滑車。
１５  第二滑車。
１６  羽。
１７  誘導柵。
１８  誘導樋。
１９  調節機を経て水檜内癖、水槽外壁に固定する端子。
２２  空気抜き取りポンプ所。
２３  水盤機に落ちた水を吸い上げ水槽に戻す、水回収ポンプ機器所。
２４  放水バルブ。
２５  開閉戸。
２６  浮き上がり球体であり、符号１６の羽に、浮き上がり球体を渡す浮き上がり球体。
２７  コロ。
２８  符号１、符号２を通して設けた穴と符号２９の空気抜き取りパイプであるパイプの      一部を含めた断面。
２９  空気抜き取りパイプ。
３０  空気抜き取りポンプ所へつなぐパイプ。
３１  符号１７の誘導柵の断面。
３２  誘導樋、の断面。
３３  コロささえ。
３４  羽のつけね。
３５  Ｙ字形コロうけ。
３６  空気。
３７  化学繊維帯。
【図１】
2010043632.tif 000002
【図２】
2010043632.tif 000003
【図３】
2010043632.tif 000004
【図４】
2010043632.tif 000005
【図５】
2010043632.tif 000006
【図６】
2010043632.tif 000007
【図７】
2010043632.tif 000008